(57)【特許請求の範囲】
【請求項１】
複数の医薬品それぞれの用法を識別する用法識別情報を記憶する記憶部と、
１以上の第１の医薬品の用法に対応する１以上の第１の用法識別情報と、１以上の第２の医薬品の用法に対応する１以上の第２の用法識別情報とを前記記憶部から取得し、取得した前記第１の用法識別情報と前記第２の用法識別情報とを比較し、前記第１の用法識別情報と前記第２の用法識別情報とが一致する前記１以上の第１の医薬品の中の一つと前記１以上の第２の医薬品の中の一つとを含む医薬品の組み合わせを処方候補として抽出する組み合わせ抽出部と、を備え、
前記組み合わせ抽出部は、取得した用法識別情報の中で、前記第１の用法識別情報と前記第２の用法識別情報とが一致する前記１以上の第１の医薬品の中の一つと前記１以上の第２の医薬品の中の一つとを含む医薬品の組み合わせがない場合、前記第１の用法識別情報と前記第２の用法識別情報とが部分的に一致する前記１以上の第１の医薬品の中の一つと前記１以上の第２の医薬品の中の一つとを含む医薬品の組み合わせを処方候補として抽出する、処方候補提示装置。
【請求項２】
前記用法識別情報は、イベントコードを含み、
前記組み合わせ抽出部は、取得した用法識別情報の中で、前記第１の用法識別情報と前記第２の用法識別情報とが一致する前記１以上の第１の医薬品の中の一つと前記１以上の第２の医薬品の中の一つとを含む医薬品の組み合わせがない場合、前記第１の用法識別情報のイベントコードと前記第２の用法識別情報のイベントコードとが一致する前記１以上の第１の医薬品の中の一つと前記１以上の第２の医薬品の中の一つとを含む医薬品の組み合わせを処方候補として抽出する、請求項１に記載の処方候補提示装置。
【請求項３】
前記記憶部は、複数の医薬品それぞれの服用時点を分類するグループ識別情報をさらに記憶し、
前記組み合わせ抽出部は、１以上の第１の医薬品の服用時点に対応する１以上の第１のグループ識別情報と、１以上の第２の医薬品の服用時点に対応する１以上の第２のグループ識別情報とを前記記憶部から取得し、取得した前記第１のグループ識別情報と前記第２のグループ識別情報とを比較し、前記第１のグループ識別情報と前記第２のグループ識別情報とが一致する前記１以上の第１の医薬品の中の一つと前記１以上の第２の医薬品の中の一つとを含む医薬品の組み合わせを処方候補として抽出する、
請求項１または２に記載の処方候補提示装置。
【請求項４】
前記グループ識別情報は、イベントグループコードを含み、
前記組み合わせ抽出部は、取得したグループ識別情報の中で、前記第１のグループ識別情報と前記第２のグループ識別情報とが一致する前記１以上の第１の医薬品の中の一つと前記１以上の第２の医薬品の中の一つとを含む医薬品の組み合わせがない場合、前記第１のグループ識別情報のイベントグループコードと、前記第２のグループ識別情報のイベントグループコードとが一致する前記１以上の第１の医薬品の中の一つと前記１以上の第２の医薬品の中の一つとを含む医薬品の組み合わせを処方候補として抽出する、
請求項３に記載の処方候補提示装置。
【請求項５】
変更の対象となる特定のグループ識別情報および変更後のグループ識別情報の入力を受け付ける変更入力受付部と、
前記記憶部に記憶されている全ての医薬品のグループ識別情報のうち、前記特定のグループ識別情報に一致する前記グループ識別情報を、前記変更後のグループ識別情報に変更する変更処理部と、
を備える請求項３または４に記載の処方候補提示装置。
【請求項６】
前記記憶部は、少なくとも２つの用法識別情報からなる類似用法識別情報群を記憶し、
前記組み合わせ抽出部は、取得した用法識別情報の中で、前記第１の用法識別情報と前記第２の用法識別情報とが一致する前記１以上の第１の医薬品の中の一つと前記１以上の第２の医薬品の中の一つとを含む医薬品の組み合わせがない場合、前記第１の用法識別情報と前記第２の用法識別情報とが同一の類似識別情報群に含まれる前記１以上の第１の医薬品の中の一つと前記１以上の第２の医薬品の中の一つとを含む医薬品の組み合わせを処方候補として抽出する、請求項１から５のいずれかに記載の処方候補提示装置。
【請求項７】
前記記憶部が、先発の医薬品および後発の医薬品を記憶し、
抽出された医薬品の組み合わせの一つである第１の組み合わせに含まれる医薬品の中に第１の先発の医薬品が含まれており、前記第１の先発の医薬品に対する後発の医薬品である第１の後発の医薬品の用法に対応する用法識別情報と、前記第１の先発の医薬品の用法に対応する用法識別情報とが互いに一致する場合、前記組み合わせ抽出部は、前記第１の先発の医薬品に代えて、前記第１の後発の医薬品を含めた医薬品の組み合わせを、前記第１の組み合わせに対する代替の処方候補として抽出する、請求項１から６のいずれかに記載の処方候補提示装置。
【請求項８】
前記記憶部が、同種または同効の医薬品を記憶し、
抽出された医薬品の組み合わせの一つである第２の組み合わせに含まれる医薬品の中に第３の医薬品が含まれており、前記第３の医薬品と同種または同効である第４の医薬品が前記記憶部に記憶されており、前記第３の医薬品の用法に対応する用法識別情報と、前記第４の医薬品の用法に対応する用法識別情報とが互いに一致する場合、前記組み合わせ抽出部は、前記第３の医薬品に代えて、前記第４の医薬品を含めた医薬品の組み合わせを、前記第２の組み合わせに対する代替の処方候補として抽出する、請求項１から７のいずれかに記載の処方候補提示装置。
【請求項９】
前記記憶部が、患者の薬歴を記憶し、
前記組み合わせ抽出部は、抽出された医薬品の組み合わせの中の一つである第３の組み合わせに含まれる第５の医薬品の用法に対応する用法識別情報が、前記患者の薬歴に含まれる医薬品の用法に対応する用法識別情報と一致する場合、前記第３の組み合わせを、前記抽出された医薬品の組み合わせの中に含まれる他の組み合わせよりも高い優先順位と決定する、請求項１から８のいずれかに記載の処方候補提示装置。
【請求項１０】
前記記憶部が、患者の家族または血縁者の薬歴を記憶し、
前記組み合わせ抽出部は、抽出された医薬品の組み合わせの中の一つである第４の組み合わせに含まれる第６の医薬品の用法に対応する用法識別情報が、前記患者の家族または血縁者の薬歴に含まれる医薬品の用法に対応する用法識別情報に一致する場合、前記第４の組み合わせを、前記抽出された医薬品の組み合わせの中に含まれる他の組み合わせよりも高い優先順位と決定する、請求項１から９のいずれかに記載の処方候補提示装置。
【請求項１１】
前記記憶部が、相互作用を有する医薬品の組み合わせを記憶し、
前記組み合わせ抽出部は、抽出された医薬品の組み合わせの中の一つである第５の組み合わせに、相互作用を有する医薬品の組み合わせが含まれる場合、前記第５の組み合わせを処方候補から除外する、請求項１から１０のいずれかに記載の処方候補提示装置。
【請求項１２】
前記記憶部が、医薬品の副作用を記憶し、
前記組み合わせ抽出部は、抽出された医薬品の組み合わせの中の一つである第６の組み合わせに含まれる医薬品の少なくとも１つが患者に対して有害な副作用を有する場合、前記第６の組み合わせを処方候補から除外する、請求項１から１１のいずれかに記載の処方候補提示装置。
【請求項１３】
前記記憶部が、医薬品の在庫量を記憶し、
前記組み合わせ抽出部は、抽出された医薬品の組み合わせに含まれる医薬品の在庫量に基づいて、抽出された医薬品の組み合わせ同士の間での優先順位を決定する、請求項１から１２のいずれかに記載の処方候補提示装置。
【請求項１４】
前記記憶部が、医薬品の使用期限を記憶し、
前記組み合わせ抽出部は、抽出された医薬品の組み合わせに含まれる医薬品の使用期限に基づいて、抽出された医薬品の組み合わせ同士の間での優先順位を決定する、請求項１から１３のいずれかに記載の処方候補提示装置。
【請求項１５】
前記記憶部が、抽出された医薬品の組み合わせである第７の組み合わせを記憶し、
前記組み合わせ抽出部は、抽出された医薬品の組み合わせの中の一つである第８の組み合わせに、前記記憶部が記憶する前記第７の組み合わせが含まれる場合、前記第８の組み合わせを、抽出された医薬品の組み合わせの中の他の組み合わせよりも高い優先順位と決定する、請求項１から１４のいずれかに記載の処方候補提示装置。
【請求項１６】
前記複数の医薬品の入力を受け付ける入力受付部を備える、請求項１から１５のいずれかに記載の処方候補提示装置。
【請求項１７】
少なくとも２つの疾患の入力を受け付ける入力受付部を備え、
前記記憶部は、疾患に対応する医薬品のグループを記憶し、
前記組み合わせ抽出部は、入力された前記少なくとも２つの疾患の各疾患に対応する前記医薬品のグループを前記記憶部から取得し、前記記憶部から取得した少なくとも２以上の医薬品のグループからそれぞれ１つの医薬品を選択し、選択された少なくとも２以上の医薬品を含む医薬品の組み合わせを処方候補として抽出する、請求項１から１６のいずれかに記載の処方候補提示装置。
【請求項１８】
前記組み合わせ抽出部が処方候補として抽出した医薬品の組み合わせを表示する表示部を備える、請求項１から１７のいずれかに記載の処方候補提示装置。
【請求項１９】
前記組み合わせ抽出部は、前記少なくとも２つの医薬品の組み合わせを複数の患者に対する処方候補として抽出する、請求項１から１８のいずれかに記載の処方候補提示装置。
【請求項２０】
コンピュータを、
複数の医薬品それぞれの用法を識別する用法識別情報を記憶する記憶手段と、
１以上の第１の医薬品の用法に対応する１以上の第１の用法識別情報と、１以上の第２の医薬品の用法に対応する１以上の第２の用法識別情報とを前記記憶手段から取得する取得手段と、
取得された前記第１の用法識別情報と前記第２の用法識別情報とを比較する比較手段と、
前記第１の用法識別情報と前記第２の用法識別情報とが一致する前記１以上の第１の医薬品の中の一つと前記１以上の第２の医薬品の中の一つとを含む医薬品の組み合わせがある場合、前記組み合わせを処方候補として抽出し、取得した用法識別情報の中で、前記組み合わせがない場合、前記第１の用法識別情報と前記第２の用法識別情報とが部分的に一致する前記１以上の第１の医薬品の中の一つと前記１以上の第２の医薬品の中の一つとを含む医薬品の組み合わせを処方候補として抽出する抽出手段と、
して機能させるためのプログラム。
【発明の詳細な説明】
【技術分野】
【０００１】
本開示は、処方候補提示装置およびプログラムに関する。
【背景技術】
【０００２】
医者が患者に対して処方する医薬品には、その医薬品に応じて異なる用法が定められている。したがって、複数の医薬品を処方する際には、複数の医薬品のそれぞれについての用法を考慮し、複数の医薬品の全てについて用法の間違いを防止する必要がある。
【０００３】
用法の間違いを防止するために、患者毎に１つまたは複数の医薬品を処方する際に、用法（服用タイミング）に応じて、週単位、日単位など各医薬品を処方するタイミング（処方タイミング）を確認しやすくした処方リストを表示する投薬スケジュール表示装置が開示されている（特許文献１参照）。
【先行技術文献】
【特許文献】
【０００４】
【特許文献１】特開２０１５−２２７３１号公報
【発明の概要】
【発明が解決しようとする課題】
【０００５】
医薬品の服用タイミングは離散的であることが多く、日単位あるいは週単位で医薬品毎にばらつきがあることも多い。このような場合、複数の医薬品を処方された患者が、その中の一部の医薬品の服用を忘れるという問題が生じる。この問題は、医薬品の処方タイミングを正確にすることによって解決することはできない。
【０００６】
本開示の目的は、１または複数の患者による医薬品の服用忘れを防止する処方候補を提示する処方候補提示装置を提供することである。
【課題を解決するための手段】
【０００７】
本開示の一態様に係る処方候補提示装置は、複数の医薬品それぞれの用法を識別する用法識別情報を記憶する記憶部と、１以上の第１の医薬品の用法に対応する１以上の第１の用法識別情報と、１以上の第２の医薬品の用法に対応する１以上の第２の用法識別情報とを前記記憶部から取得し、取得した前記第１の用法識別情報と前記第２の用法識別情報とを比較し、前記第１の用法識別情報と前記第２の用法識別情報とが一致する前記１以上の第１の医薬品の中の一つと前記１以上の第２の医薬品の中の一つとを含む医薬品の組み合わせを処方候補として抽出する組み合わせ抽出部と、を備え、前記組み合わせ抽出部は、取得した用法識別情報の中で、前記第１の用法識別情報と前記第２の用法識別情報とが一致する前記１以上の第１の医薬品の中の一つと前記１以上の第２の医薬品の中の一つとを含む医薬品の組み合わせがない場合、前記第１の用法識別情報と前記第２の用法識別情報とが部分的に一致する前記１以上の第１の医薬品の中の一つと前記１以上の第２の医薬品の中の一つとを含む医薬品の組み合わせを処方候補として抽出する構成を採る。
【発明の効果】
【０００８】
本開示によれば、１または複数の患者による医薬品の服用忘れを防止する処方候補を提示する処方候補提示装置を提供することができる。複数の患者は、例えば、同一家族内の患者、同一老人ホーム内の患者である。
【図面の簡単な説明】
【０００９】
【図１】本開示の処方候補提示装置のブロック図である。
【図２】用法識別情報の一例を示す図である。
【図３】グループ識別情報の一例を示す図である。
【図４】用法識別情報とグループ識別情報との対応関係の一例を示す図である。
【図５】本開示の処方候補提示装置の処理を示すフローチャートである。
【図６】図５のステップＳ１２００の処理を示すフローチャートである。
【図７】図５のステップＳ１３００の処理を示すフローチャートである。
【図８】本開示の第１の実施形態に係る医薬品の処方候補の抽出を説明する図である。
【図９】本開示の第１の実施形態に係る入力受付部を説明する図である。
【図１０】本開示の第１の実施形態に係る表示部を説明する図である。
【図１１】本開示の第２の実施形態に係る入力受付部を説明する図である。
【図１２】本開示の第２の実施形態に係る表示部を説明する図である。
【発明を実施するための形態】
【００１０】
以下、本開示の実施の形態について、図面を参照して詳細に説明する。
【００１１】
（実施の形態）
図１は、本開示の処方候補提示装置１００のブロック図である。処方候補提示装置１００は、記憶部１１０と、組み合わせ抽出部１２０と、変更入力受付部１３０と、変更処理部１４０と、入力受付部１５０と、表示部１６０とを備える。
【００１２】
記憶部１１０は、用法識別情報記憶部１１０ａを含む。用法識別情報記憶部１１０ａは、医薬品の１つまたは複数の用法を記憶する。医薬品の用法とは、一般には医薬品を使用する際の使用方法および使用量のことをいうが、本開示においては、用法は、医薬品を使用する服用時点のことをいうものとする。一例において、当該用法は、図２を参照して後述する用法識別情報（用法ＩＤ）によって識別され、用法識別情報記憶部１１０ａは、医薬品の１つまたは複数の用法識別情報を記憶する。
【００１３】
記憶部１１０は、一例において、さらに、用法一覧記憶部１１０ｂと、グループ識別情報記憶部１１０ｃと、グループ一覧記憶部１１０ｄと、類似用法識別情報記憶部１１０ｅとを含む。
【００１４】
用法一覧記憶部１１０ｂは、用法の一覧を記憶する。当該用法の一覧は、一例において、図２を参照して後述する用法識別情報のコード表である。
【００１５】
グループ識別情報記憶部１１０ｃは、医薬品の１つまたは複数のグループを記憶する。当該グループは、一例において、図３を参照して後述するグループ識別情報（グループＩＤ）によって識別され、グループ識別情報記憶部１１０ｃは、医薬品の１つまたは複数のグループ識別情報を記憶する。
【００１６】
グループ一覧記憶部１１０ｄは、グループの一覧を記憶する。当該グループの一覧は、一例において、図３を参照して後述するグループ識別情報のコード表である。
【００１７】
類似用法識別情報記憶部１１０ｅは、類似する用法の組み合わせを記憶する。一例において、類似用法識別情報記憶部１１０ｅは、図２を参照して後述する用法識別情報のうち、類似する用法の組み合わせに対応する用法識別情報の組み合わせを記憶する。
【００１８】
記憶部１１０は、一例において、さらに、先発後発医薬品記憶部１１０ｆと、同種同効医薬品記憶部１１０ｇと、相互作用医薬品記憶部１１０ｈと、副作用記憶部１１０ｉと、在庫量記憶部１１０ｊと、使用期限記憶部１１０ｋを含む。
【００１９】
先発後発医薬品記憶部１１０ｆは、先発の医薬品に対応する後発の医薬品を記憶する。ここで、後発の医薬品（ジェネリック医薬品）とは、先発の医薬品の特許期間が満了後、厚生労働省の承認を得て製造・販売される医薬品をいう。先発後発医薬品記憶部１１０ｆは、例えば、先発の医薬品アルファロール（登録商標）カプセル１μｇに対応づけて、後発の医薬品アルファカルシドールカプセル１．０μｇを記憶する。
【００２０】
同種同効医薬品記憶部１１０ｇは、同種または同効の医薬品を記憶する。ここで、同種または同効の医薬品とは、異なる医薬品であって、同じ効果・作用を呈する医薬品をいう。
【００２１】
相互作用医薬品記憶部１１０ｈは、不利益な相互作用を有する複数の医薬品からなる組み合わせを記憶する。ここで、不利益な相互作用とは、複数の医薬品を併用した場合に薬効が減弱する作用や、複数の医薬品を併用した場合に発生する有害な作用をいう。
【００２２】
副作用記憶部１１０ｉは、ある医薬品に対応づけて、当該医薬品の副作用を記憶する。副作用とは、医薬品の本来の目的以外の作用のことをいう。
【００２３】
在庫量記憶部１１０ｊは、ある医薬品に対応づけて、当該医薬品の在庫量を記憶する。使用期限記憶部１１０ｋは、ある医薬品に対応づけて、当該医薬品の使用期限を記憶する。
【００２４】
記憶部１１０は、一例において、さらに、患者薬歴記憶部１１０ｌと、患者家族薬歴記憶部１１０ｍと、組み合わせ記憶部１１０ｎとを含む。患者薬歴記憶部１１０ｌは、ある患者に対して、当該患者が服用した医薬品の履歴を記憶する。患者家族薬歴記憶部１１０ｍは、ある患者に対して、当該患者の家族が服用した医薬品の履歴を記憶する。組み合わせ記憶部１１０ｎは、組み合わせ抽出部１２０が過去に抽出した処方候補に含まれる医薬品の組み合わせを記憶する。
【００２５】
記憶部１１０は、一例において、さらに疾患医薬品対応記憶部１１０ｐを含む。疾患医薬品対応記憶部１１０ｐは、疾患に対応する医薬品のグループを記憶する。当該医薬品のグループは、当該疾患に対応して処方可能な医薬品の選択肢からなるグループである。当該医薬品のグループに含まれる医薬品のうち、１つの医薬品が処方される。
【００２６】
なお、記憶部１１０に含まれる各記憶部は、同一の記憶媒体に記憶されてもよく、異なる記憶媒体に記憶されてもよい。異なる記憶媒体に記憶される場合、それらの記憶媒体は、同一の装置に含まれてもよく、ＬＡＮ、インターネット等のネットワークを介して接続された分散型記憶装置であってもよい。記憶媒体は、揮発性の記憶媒体であっても、不揮発性の記憶媒体であってもよい。
【００２７】
組み合わせ抽出部１２０は、少なくとも２つの医薬品からなる組み合わせを１または複数の患者に対する処方候補として抽出する。組み合わせ抽出部１２０の動作については、図５から図８を参照して後述する。
【００２８】
変更入力受付部１３０は、変更の対象となる特定のグループ識別情報および変更後のグループ識別情報の入力を受け付ける。入力受付部１５０は、複数の疾患または複数の医薬品の入力を受け付ける。変更入力受付部１３０および入力受付部１５０は、これらの情報の入力を受け付けることができる限り特に制限はなく、例えばコンピュータに接続されたキーボード、マウス、およびディスプレイ装置であってもよく、タブレット端末のタッチパネルであってもよい。
【００２９】
変更処理部１４０は、記憶部１１０に記憶されている全ての医薬品のグループ識別情報のうち、変更入力受付部１３０から入力された特定のグループ識別情報に一致するグループ識別情報を、変更入力受付部１３０から入力された変更後のグループ識別情報に変更する。組み合わせ抽出部１２０および変更処理部１４０は、これらについて後述される動作を実行できる限り特に制限はなく、例えばスタンドアロンコンピュータであってもよく、ネットワークを介して接続されるサーバコンピュータであってもよく、タブレット端末に内蔵されたコンピュータであってもよい。
【００３０】
表示部１６０は、組み合わせ抽出部１２０によって抽出された処方候補を表示する。表示部１６０は、処方候補を表示できる限り特に制限はなく、例えばコンピュータに接続されたディスプレイ装置であってもよく、コンピュータに接続された印刷装置であってもよく、タブレット端末の表示画面であってもよい。
【００３１】
図２は、用法識別情報（用法ＩＤ）の一例を示す図である。用法識別情報は、イベントコードと、前後コードと、時間コードと、以上・以内コードとを含む。イベントコードは、患者が医薬品を服用するきっかけとなるイベント（例えば「毎食」）を分類するコードである。前後コードは、患者が医薬品を服用する時刻とイベントの時刻との関係（例えば「前」）を分類するコードである。時間コードは、患者が医薬品を服用する時刻とイベントの時刻との具体的な間隔（例えば「３０分」）を分類するコードである。以上・以内コードは、患者が医薬品を服用する時刻と時間コードで示される時間との関係（例えば「以内」）を分類するコードである。
【００３２】
医薬品の用法は、例えば「昼夕食後３０分以上」のような形式で指定され、用法識別情報（用法ＩＤ）によって識別される。用法「昼夕食後３０分以上」を識別する用法識別情報は、図２の用法識別情報のコード表を参照すると、「ＧＢ０３０Ａ」であることがわかる。用法「毎食直前」を識別する用法識別情報は、同様に「ＡＡ００１Ｚ」である。
【００３３】
ここで、一般的には食後２時間のことが食間と定義されていることから、食後１時間以上については、食後とも食間とも捉えられる。この意味において、用法「食後１時間以上」は用法「食間」と類似するといえる。したがって、一例において、類似用法識別情報記憶部１１０ｅは、用法「食後１時間以上」を識別する用法識別情報である「ＡＢＨ０１Ａ」と、用法「食間」を識別する用法識別情報である「ＡＤ０００Ｚ」との組み合わせを記憶する。
【００３４】
図３は、グループ識別情報（グループＩＤ）の一例を示す図である。グループ識別情報は、イベントグループコードと、時間グループコードとを含む。イベントグループコードは、患者が医薬品を服用するきっかけとなるイベントのグループ（例えば「毎食」）を分類するコードである。時間グループコードは、患者が医薬品を服用する時刻とイベントの時刻との具体的な間隔（例えば「３０分」）を分類するコードである。
【００３５】
医薬品の服用時点は、グループ識別情報によって分類される。服用時点「昼夕食直後」が属する服用時点のグループ識別情報（グループＩＤ）は、図３のグループ識別情報のコード表を参照すると、「０１Ａ」であることがわかる。用法「起床１５分後」を特定する用法識別情報（用法ＩＤ）は、同様に「０２Ｅ」である。
【００３６】
処方候補提示装置１００のユーザは、必要に応じて、グループ識別情報を変更することができる。例えば、「１時間前」に対応する時間グループコード「Ｃ」と「２時間前」および「３時間前」に対応する時間グループコード「Ｄ」とを併合して時間グループコード「Ｘ」とすることを、当該ユーザが望んでいるとする。当該ユーザが変更入力受付部１３０を介して当該併合を指示すると、変更処理部１４０は、グループ識別情報記憶部１１０ｃが記憶しているグループ識別情報について、時間グループコード「Ｃ」または「Ｄ」とを含むグループ識別情報を、新しい時間グループコード「Ｘ」に変更する。さらに、変更処理部１４０は、グループ一覧記憶部１１０ｄが記憶するグループ識別情報のコード表について、「１時間前」、「２時間前」、および「３時間前」に対応する時間グループコードを「Ｘ」に変更する。
【００３７】
なお、図２および図３に示したコード表の例においては、用法識別情報のイベントコードとグループ識別情報のイベントグループコードとは、同等のイベントの分類を規定しているが、これらは必ずしも同等の分類を規定しなくてもよい。例えば、イベントグループコードがイベントコードよりも粗い分類を規定してもよい。
【００３８】
図４は、用法識別情報とグループ識別情報との対応関係の一例を示す図である。例えば、用法「昼夕食後３０分以上」を識別する用法識別情報は、「ＧＢ０３０Ａ」であり、当該用法に対応する服用時点のグループ識別情報は、「０１Ｅ」である。また、用法「昼夕食後３０分以内」を識別する用法識別情報は、「ＦＢ０３０Ｂ」であり、当該用法に対応する服用時点のグループ識別情報は、「０１Ｅ」である。すなわち、ある用法が異なる用法識別情報によって識別される一方で、対応する服用時点が同一のグループ識別情報によって分類されることがある。このように、グループ識別情報は、用法識別情報より粗い分類を規定する。
【００３９】
図５は、本開示の処方候補提示装置１００の処理を示すフローチャートである。
【００４０】
ステップＳ１１００において、入力受付部１５０は、複数の疾患または複数の医薬品の入力を受け付ける。後述する第１の実施形態においては、入力受付部１５０は、複数の疾患の入力を受け付ける。後述する第２の実施形態においては、入力受付部１５０は、複数の医薬品の入力を受け付ける。
【００４１】
ステップＳ１２００において、組み合わせ抽出部１２０は、１つまたは複数の処方候補を抽出する。後述する第１の実施形態においては、組み合わせ抽出部１２０は、入力受付部１５０から入力された疾患に対応する医薬品グループからそれぞれ１つの医薬品を選択して組み合わせた処方候補を抽出する。後述する第２の実施形態においては、組み合わせ抽出部１２０は、入力受付部１５０から入力された複数の医薬品から選択して組み合わせた処方候補を抽出する。ステップＳ１２００については、図６を参照して後述する。
【００４２】
ステップＳ１３００において、組み合わせ抽出部１２０は、代替の処方候補を追加する。ステップＳ１３００については、図７を参照して後述する。
【００４３】
ステップＳ１４００において、組み合わせ抽出部１２０は、１つまたは複数の処方候補の間の優先順位を決定する。ここで用いる優先順位については、以下に述べるように、種々の優先順位が考えられる。
【００４４】
（患者の薬歴に基づく優先順位）
一例において、組み合わせ抽出部１２０は、患者薬歴記憶部１１０ｌを参照して、患者の薬歴に含まれる医薬品の用法識別情報またはグループ識別情報が一致する医薬品を含む処方候補に、他の処方候補より高い優先順位を決定する。こうすると、患者が慣れた服用タイミングに沿った処方候補を優先的に提示することができる。
【００４５】
（患者の家族または血縁者の薬歴に基づく優先順位）
一例において、組み合わせ抽出部１２０は、患者家族薬歴記憶部１１０ｍを参照して、患者の家族または血縁者の薬歴に含まれる医薬品の用法識別情報またはグループ識別情報が一致する医薬品を含む処方候補に、他の処方候補より高い優先順位を決定する。こうすると、患者の家族または血縁者が慣れた服用タイミングに沿った処方候補を優先的に提示することができる。
【００４６】
（医薬品の在庫量に基づく優先順位）
一例において、組み合わせ抽出部１２０は、在庫量記憶部１１０ｊを参照して、処方候補に含まれる医薬品の在庫量に基づいて処方候補の優先順位を決定する。例えば、組み合わせ抽出部１２０が複数の処方候補を抽出した場合、組み合わせ抽出部１２０は、各処方候補に含まれる医薬品の在庫量の最小値を計算し、最小値の大きい順に優先順位を決定する。こうすると、在庫量の大きい医薬品を優先的に処方することができ、医薬品の在庫量のバランスを均衡させることができる。
【００４７】
（医薬品の使用期限に基づく優先順位）
一例において、組み合わせ抽出部１２０は、使用期限記憶部１１０ｋを参照して、処方候補に含まれる医薬品の使用期限に基づいて処方候補の優先順位を決定する。例えば、組み合わせ抽出部１２０が複数の処方候補を抽出した場合、組み合わせ抽出部１２０は、各処方候補に含まれる医薬品の使用期限の早い順に優先順位を決定する。こうすると、使用期限の早い医薬品を優先的に処方することができ、在庫医薬品の使用期限を適切に管理することができる。
【００４８】
（処方実績に基づく優先順位）
一例において、組み合わせ抽出部１２０は、組み合わせ記憶部１１０ｎが記憶する医薬品の組み合わせを含む処方候補に、他の処方候補よりも高い優先順位を決定する。こうすると、処方実績のある処方候補を優先的に提示することができる。
【００４９】
これらの優先順位のうち、１つの優先順位を用いてもよく、２つ以上の優先順位を組み合わせて用いてもよい。２つ以上の優先順位の間に任意の優先順位を定めてもよく、２つ以上の優先順位にスコアをつけ、重みを付けてそれらを総和した総和スコアに基づいて新たな優先順位を定めてもよい。
【００５０】
次いで、ステップＳ１５００において、表示部１６０は、組み合わせ抽出部１２０が抽出した１つまたは複数の処方候補を、組み合わせ抽出部１２０が決定した優先順位に従って表示する。一例において、その後に、組み合わせ抽出部１２０は、当該１つまたは複数の処方候補を組み合わせ記憶部１１０ｎに記憶させてもよい。
【００５１】
次に、図５のステップＳ１２００の処理を図６に記載のフローチャートに沿って説明する。
【００５２】
ステップＳ１２１０において、組み合わせ抽出部１２０は、複数の医薬品の各医薬品に対応する用法識別情報を用法識別情報記憶部１１０ａから取得し、取得した用法識別情報を比較し、用法識別情報が一致する医薬品の組み合わせがあるか否かを判定する。
【００５３】
用法識別情報が一致する医薬品の組み合わせがある場合、ステップＳ１２２０に進み、組み合わせ抽出部１２０は、当該組み合わせを処方候補に含めて、次いでステップＳ１２５０に進む。用法識別情報が一致する医薬品の組み合わせがない場合、ステップＳ１２３０に進む。
【００５４】
ステップＳ１２３０において、組み合わせ抽出部１２０は、複数の医薬品の各医薬品に対応する用法識別情報が類似する医薬品の組み合わせがあるか否かを判定する。具体的には、組み合わせ抽出部１２０は、類似用法識別情報記憶部１１０ｅから１つまたは複数の類似用法識別情報群を取得し、対応する用法識別情報が１つの類似用法識別情報群に含まれる医薬品の組み合わせがあるか否かを判定する。
【００５５】
用法識別情報が類似する医薬品の組み合わせがある場合、ステップＳ１２２０に進み、組み合わせ抽出部１２０は、当該組み合わせを処方候補に含めて、次いでステップＳ１２５０に進む。用法識別情報が類似する医薬品の組み合わせがない場合、ステップＳ１２４０に進む。
【００５６】
ステップＳ１２４０において、組み合わせ抽出部１２０は、複数の医薬品の各医薬品に対応する用法識別情報のイベントコードが一致する医薬品の組み合わせがあるか否かを判定する。
【００５７】
イベントコードが一致する医薬品の組み合わせがある場合、ステップＳ１２２０に進み、組み合わせ抽出部１２０は、当該組み合わせを服用時点が一致する医薬品の組み合わせとして処方候補に含めて、次いで、ステップＳ１２５０に進む。イベントコードが一致する医薬品の組み合わせがない場合、ステップＳ１２５０に進む。
【００５８】
ステップＳ１２５０において、組み合わせ抽出部１２０は、複数の医薬品の各医薬品に対応するグループ識別情報をグループ識別情報記憶部１１０ｃから取得し、取得したグループ識別情報を比較し、グループ識別情報が一致する医薬品の組み合わせがあるか否かを判定する。
【００５９】
グループ識別情報が一致する医薬品の組み合わせがある場合、ステップＳ１２６０に進み、組み合わせ抽出部１２０は、当該組み合わせを処方候補に含めて、次いで、ステップＳ１２８０に進む。用法識別情報が一致する医薬品の組み合わせがない場合、ステップＳ１２７０に進む。
【００６０】
ステップＳ１２７０において、組み合わせ抽出部１２０は、複数の医薬品の各医薬品に対応するグループ識別情報のイベントグループコードが一致する医薬品の組み合わせがあるか否かを判定する。
【００６１】
イベントグループコードが一致する医薬品の組み合わせがある場合、ステップＳ１２６０に進み、組み合わせ抽出部１２０は、当該組み合わせを処方候補に含めて、次いで、ステップＳ１２８０に進む。イベントグループコードが一致する医薬品の組み合わせがない場合、ステップＳ１２８０に進む。
【００６２】
ステップＳ１２８０において、組み合わせ抽出部１２０は、相互作用医薬品記憶部１１０ｈを参照して、処方候補に含まれる医薬品の組み合わせが相互作用を有する医薬品の組み合わせを含むか否かを判定し、含むと判定した場合、当該組み合わせを処方候補から除外する。
【００６３】
ステップＳ１２９０において、組み合わせ抽出部１２０は、処方候補に含まれる医薬品の組み合わせについて、当該組み合わせに含まれる少なくとも１つの医薬品が、投薬対象である１または複数の患者に対して有害な副作用を有する場合、当該組み合わせを処方候補から除外する。例えば、組み合わせ抽出部１２０は、処方候補に含まれる医薬品の組み合わせに含まれる医薬品の副作用を副作用記憶部１１０ｉから取得する。次いで、組み合わせ抽出部１２０は、投薬対象である１または複数の患者の電子カルテから、当該１または複数の患者にとって有害な副作用を抽出する。取得した副作用が当該有害な副作用に含まれる場合、組み合わせ抽出部１２０は、当該組み合わせを処方候補から除外する。その後、ステップＳ１２００を終了する。
【００６４】
次に、図５のステップＳ１３００の処理を図７に記載のフローチャートに沿って説明する。
【００６５】
ステップＳ１３１０において、組み合わせ抽出部１２０は、処方候補について、用法が同一の後発の医薬品があるか否かを判定する。具体的には、組み合わせ抽出部１２０は、先発後発医薬品記憶部１１０ｆを参照して、当該処方候補に含まれる先発の医薬品について、後発の医薬品を取得する。当該後発の医薬品がある場合、次いで、組み合わせ抽出部１２０は、用法識別情報記憶部１１０ａを参照して、当該後発の医薬品の用法識別情報が当該先発の医薬品の用法識別情報と一致するか否かを判定する。
【００６６】
一致する場合、ステップＳ１３２０に進み、組み合わせ抽出部１２０は、当該処方候補において、当該後発の医薬品で当該先発の医薬品を置き換えた代替の処方候補を追加して、ステップＳ１３３０に進む。一致しない場合、ステップＳ１３３０に進む。
【００６７】
ステップＳ１３３０において、組み合わせ抽出部１２０は、処方候補について、用法が同一の同種または同効の医薬品があるか否かを判定する。具体的には、組み合わせ抽出部１２０は、同種同効医薬品記憶部１１０ｇを参照して、当該処方候補に含まれる第１の医薬品について、同種または同効の第２の医薬品を取得する。当該第２の医薬品がある場合、次いで、組み合わせ抽出部１２０は、用法識別情報記憶部１１０ａを参照して、当該第２の医薬品の用法識別情報が当該第１の医薬品の用法識別情報と一致するか否かを判定する。
【００６８】
一致する場合、ステップＳ１３４０に進み、組み合わせ抽出部１２０は、当該処方候補において、当該第１の医薬品を当該第２の医薬品で置き換えた代替の処方候補を追加して、ステップＳ１３００を終了する。一致しない場合、ステップＳ１３００を終了する。
【００６９】
図８は、本開示の第１の実施形態に係る医薬品の組み合わせ候補の抽出を説明する図である。図９は、本開示の第１の実施形態に係る入力受付部１５０を説明する図である。図１０は、本開示の第１の実施形態に係る表示部１６０を説明する図である。
【００７０】
疾患（１）に医薬品のグループ（１）が対応し、疾患（６）に医薬品のグループ（２）が対応する。組み合わせ抽出部１２０は、疾患（１）および（６）について、疾患医薬品対応記憶部１１０ｐからそれぞれ医薬品のグループ（１）および（２）を取得する。次いで、組み合わせ抽出部１２０は、医薬品のグループ（１）および（２）に含まれる医薬品Ａ〜Ｅについて、用法識別情報記憶部１１０ａから対応する用法識別情報（１）〜（４）を取得する。
【００７１】
次に、組み合わせ抽出部１２０は、用法識別情報を比較することにより、医薬品のグループ（１）および（２）から用法の一致する医薬品を１つずつ選択して組み合わせた処方候補を抽出する。医薬品Ａの用法および医薬品Ｄの用法（用法（１））が一致し、医薬品Ａの用法および医薬品Ｅの用法（用法（２））が一致し、医薬品Ｃの用法および医薬品Ｅの用法（用法（２））が一致する。これらをそれぞれ処方候補１〜３として抽出する。
【００７２】
一例において、入力受付部１５０は、疾患名選択画面と、組み合わせ候補表示ボタンとを備える。処方候補提示装置１００のユーザは、疾患名選択画面から疾患（１）および（６）を選択する。疾患名選択画面は、ユーザが疾患の組み合わせを入力できる限り特に制限はなく、例えば図９に示されるように、該当する疾患名とともに表示されたチェックボックスをチェックすることにより、ユーザが疾患名を選択してもよい。
【００７３】
入力受付部１５０は、さらに候補医薬品表示画面を備えてもよい。ユーザが疾患の組み合わせを入力すると、入力受付部１５０は、組み合わせ抽出部１２０が取得した医薬品Ａ〜Ｅおよび対応する用法（１）〜（４）を、疾患毎に候補医薬品表示画面において表示する。
【００７４】
ユーザが、図９に示される疾患名選択画面において疾患（１）および（６）を選択した後に組み合わせ候補表示ボタンを押下すると、組み合わせ抽出部１２０は、図８を参照して上述したように処方候補１〜３を抽出し、表示部１６０は、図１０に示される処方候補表示画面において抽出された処方候補１〜３を表示する。
【００７５】
図１１は、本開示の第２の実施形態に係る入力受付部１５０を説明する図である。図１２は、本開示の第２の実施形態に係る表示部１６０を説明する図である。
【００７６】
第２の実施形態においては、処方する複数の医薬品が確定している場合に、当該複数の医薬品から選択して組み合わせた処方候補が提示される。図１１に示す医薬品入力画面において、処方候補提示装置１００のユーザは、複数の医薬品を入力する。入力受付部１５０の備える入力インターフェースは、複数の医薬品を入力できる限り限定されず、例えばユーザが医薬品の名称を入力するテキストボックスを備えるＧＵＩでもよく、ユーザが複数の医薬品を選択するリストボックスを備えるＧＵＩであってもよい。
【００７７】
ユーザが、図１１に示される医薬品入力画面において複数の医薬品を入力した後に組み合わせ候補表示ボタンを押下すると、組み合わせ抽出部１２０は、用法識別情報記憶部１１０ａから、入力された複数の医薬品に対応する用法識別情報を取得する。
【００７８】
図１１に示される医薬品入力画面に入力された「セレコックス（登録商標）錠１００ｍｇ」（以下医薬品（１）と呼ぶ）の用法は「一日２回朝・夕食後」である。また、図１１に示される医薬品入力画面に入力された「アノプロリン（登録商標）錠１００ｍｇ」（以下医薬品（２）と呼ぶ）の用法は「一日２〜３回食後」である。さらに、図１１に示される医薬品入力画面に入力された「リピディル（登録商標）錠８０ｍｇ」（以下医薬品（３）と呼ぶ）の用法は「一日１回食後」である。
【００７９】
図２を再度参照する。医薬品（１）について、用法「一日２回朝・夕食後」（「朝・夕食後」）に対応する用法識別情報は「ＦＢ０１０Ｚ」である。医薬品（２）について、用法「一日２〜３回食後」は、図２に定義されていないが、「一日２回食後」または「一日３回食後」と言い換えることができる。ここで、用法「一日２回食後」は、実質的に「朝・昼食後」、「朝・夕食後」、または「昼・夕食後」を意味する。また、用法「一日３回食後」は、実質的に「毎食後」を意味する。これらを勘案すると、用法「一日２〜３回食後」に対応する用法識別情報は、「ＡＢ０１０Ｚ」、「ＥＢ０１０Ｚ」、「ＦＢ０１０Ｚ」、および「ＧＢ０１０Ｚ」である。
【００８０】
医薬品（３）について、用法「一日１回食後」は図２に定義されていないが、「朝食後」、「昼食後」、または「夕食後」と言い換えることができる。したがって、用法「一日１回食後」に対応する用法識別情報は、「ＢＢ０１０Ｚ」、「ＣＢ０１０Ｚ」、および「ＤＢ０１０Ｚ」である。医薬品（１）−（３）の全てに共通する用法識別情報はない。さらに、医薬品（１）−（３）の全てに共通してイベントコードが一致する用法識別情報もない。
【００８１】
図３を再度参照すると、医薬品（１）−（３）の用法に対応するグループ識別情報はいずれも「０１Ｅ」である。すなわち、医薬品（１）−（３）の用法は、グループ識別情報が一致する。したがって、組み合わせ抽出部１２０は、当該組み合わせを処方候補として抽出する。
【００８２】
一例において、組み合わせ抽出部１２０は、抽出された処方候補に含まれる複数の医薬品の各医薬品について、イベントコード正規化マップに基づいて、当該各医薬品の１または複数の用法識別情報から選択された用法識別情報から正規化用法識別情報集合を生成する。ここで、イベントコード正規化マップとは、１つのイベントコードに、正規化イベントコードを対応づけたマップである。正規化イベントコードは、あるイベントコードと実質的に同一の内容を示すように組み合わせたイベントコードである。イベントコード正規化マップの一例を＜表１＞に示す。＜表１＞に示されたイベントコード正規化マップにおいては、例えばイベントコードＡ（毎食）に、複数の正規化イベントコードＢ（朝食），Ｃ（昼食），Ｄ（夕食）を対応づけている。なお、対応する正規化イベントコードが定義されていないイベントコードについては、当該イベントコードをそのまま正規化イベントコードとして使用する。
【００８３】
【表１】
0006712478.tif 000002
【００８４】
医薬品（１）の用法に対応する用法識別情報は「ＦＢ０１０Ｚ」のみである。組み合わせ抽出部１２０は、用法識別情報「ＦＢ０１０Ｚ」から選択された用法識別情報「ＦＢ０１０Ｚ」のイベントコード「Ｆ（朝・夕食）」を、対応する正規化イベントコード「Ｂ（朝食），Ｄ（夕食）」で置き換える。これにより、正規化用法識別情報「ＢＢ０１０Ｚ」および「ＤＢ０１０Ｚ」を生成する。次いで、これらの正規化用法識別情報から、正規化用法識別情報集合｛ＢＢ０１０Ｚ，ＤＢ０１０Ｚ｝を生成する。
【００８５】
医薬品（２）の用法に対応する用法識別情報は「ＡＢ０１０Ｚ」、「ＥＢ０１０Ｚ」、「ＦＢ０１０Ｚ」、および「ＧＢ０１０Ｚ」である。これらの用法識別情報から選択された、例えば「ＦＢ０１０Ｚ」のイベントコード「Ｆ（朝・夕食）」を、対応する正規化イベントコード「Ｂ（朝食），Ｄ（夕食）」で置き換える。医薬品（１）と同様にして、選択された用法識別情報「ＦＢ０１０Ｚ」から正規化用法識別情報集合｛ＢＢ０１０Ｚ，ＤＢ０１０Ｚ｝を生成する。
【００８６】
医薬品（３）の用法に対応する用法識別情報は「ＢＢ０１０Ｚ」、「ＣＢ０１０Ｚ」、および「ＤＢ０１０Ｚ」である。これらの用法識別情報から選択された、例えば「ＢＢ０１０Ｚ」のイベントコード「Ｂ」を、対応する正規化イベントコード「Ｂ」で置き換える。医薬品（１）と同様にして、選択された用法識別情報「ＢＢ０１０Ｚ」から正規化用法識別情報集合｛ＢＢ０１０Ｚ｝を生成する。選択された用法識別情報と生成される正規化用法識別情報集合を＜表２＞に示す。
【００８７】
【表２】
0006712478.tif 000003
【００８８】
次いで、組み合わせ抽出部１２０は、生成された正規化用法識別情報集合の和集合が含む各正規化用法識別情報に、当該正規化用法識別情報を生成された正規化用法識別情報集合に含む医薬品を対応づけた正規化処方候補を抽出する。上記の例において、生成された正規化用法識別情報集合の和集合は、正規化用法識別情報集合｛ＢＢ０１０Ｚ，ＤＢ０１０Ｚ｝、｛ＢＢ０１０Ｚ，ＤＢ０１０Ｚ｝、および｛ＢＢ０１０Ｚ｝との和集合である｛ＢＢ０１０Ｚ，ＤＢ０１０Ｚ｝である。次いで、組み合わせ抽出部１２０は、当該和集合｛ＢＢ０１０Ｚ，ＤＢ０１０Ｚ｝が含む正規化用法識別情報「ＢＢ０１０Ｚ」に、生成された正規化用法識別情報集合に正規化用法識別情報「ＢＢ０１０Ｚ」を含む医薬品（１）−（３）を対応づける。さらに、組み合わせ抽出部１２０は、同正規化用法識別情報「ＤＢ０１０Ｚ」に、生成された正規化用法識別情報集合に正規化用法識別情報「ＤＢ０１０Ｚ」を含む医薬品（１）および（２）を対応づける。これにより、組み合わせ抽出部１２０は、正規化処方候補（処方候補１）を抽出する。
【００８９】
医薬品（３）の用法に対応する用法識別情報「ＢＢ０１０Ｚ」、「ＣＢ０１０Ｚ」、および「ＤＢ０１０Ｚ」から、「ＤＢ０１０Ｚ」を選択した場合、生成された正規化用法識別情報集合の和集合は｛ＢＢ０１０Ｚ，ＤＢ０１０Ｚ｝である。次いで、組み合わせ抽出部１２０は、当該和集合｛ＢＢ０１０Ｚ，ＤＢ０１０Ｚ｝が含む正規化用法識別情報「ＢＢ０１０Ｚ」に、生成された正規化用法識別情報集合に正規化用法識別情報「ＢＢ０１０Ｚ」を含む医薬品（１）および（２）を対応づける。さらに、組み合わせ抽出部１２０は、同正規化用法識別情報「ＤＢ０１０Ｚ」に、生成された正規化用法識別情報集合に正規化用法識別情報「ＤＢ０１０Ｚ」を含む医薬品（１）−（３）を対応づける。これにより、組み合わせ抽出部１２０は、正規化処方候補（処方候補２）を抽出する。
【００９０】
次いで、表示部１６０は、図１２に示される処方候補表示画面において抽出された処方候補１および処方候補２を表示する。表示部１６０は、正規化用法識別情報毎に、当該正規化用法識別情報に対応する用法をラベルとして表示し、その下に当該用法に対応づけた医薬品を表示するように、処方候補を表示してもよい。例えば、図１２に示すように、表示部１６０は、処方候補１について、正規化用法識別情報「ＢＢ０１０Ｚ」に対応する用法「朝食後」と、当該用法に対応づけた医薬品（１）−（３）を表示する。さらに、表示部１６０は、処方候補１について、正規化用法識別情報「ＤＢ０１０Ｚ」に対応する用法「夕食後」と、当該用法に対応づけた医薬品（１）および（２）を表示する。処方候補２についても処方候補１と同様に表示する。
【００９１】
複数の医薬品の各医薬品の１または複数の用法識別情報から選択された用法識別情報に応じて、正規化用法識別情報集合の和集合が変化し、抽出される正規化処方候補も変化する。正規化用法識別情報集合の和集合の要素数は、服用タイミングの数に対応する。したがって、正規化用法識別情報集合の和集合の要素数が小さい正規化処方候補を、要素数が大きいものに優先させて抽出するのが好ましい。
【００９２】
以上、本開示に係る実施形態について図面を参照して詳述してきたが、上述した各装置の機能は、コンピュータプログラムによっても実現され得る。
【００９３】
上述した各装置の機能をプログラムにより実現するコンピュータは、キーボードやマウス、タッチパッドなどの入力装置、ディスプレイやスピーカーなどの出力装置、ＣＰＵ（Central Processing Unit）、ＲＯＭ（Read Only Memory）、ＲＡＭ（Random Access Memory）、ハードディスク装置やＳＳＤ（Solid State Drive）などの記憶装置、ＤＶＤ−ＲＯＭ（Digital Versatile Disk Read Only Memory）やＵＳＢ（Universal Serial Bus）メモリなどの記録媒体から情報を読み取る読取装置、ネットワークを介して通信を行うネットワークカードなどを備え、各部はバスにより接続される。
【００９４】
そして、読取装置は、上記各装置の機能を実現するためのプログラムを記録した記録媒体からそのプログラムを読み取り、記憶装置に記憶させる。あるいは、ネットワークカードが、ネットワークに接続されたサーバ装置と通信を行い、サーバ装置からダウンロードした上記各装置の機能を実現するためのプログラムを記憶装置に記憶させる。
【００９５】
そして、ＣＰＵが、記憶装置に記憶されたプログラムをＲＡＭにコピーし、そのプログラムに含まれる命令をＲＡＭから順次読み出して実行することにより、上記各装置の機能が実現される。
【００９６】
上述のとおり、本開示の処方候補提示装置は、服用タイミングが一致するまたは近い医薬品の処方を促すことができる。
【００９７】
（その他の実施形態）
本開示においては、医薬品の服用時点を分類するために、図２に示される用法識別情報および分類コードと、図３に示されるグループ識別情報および分類コードを用いたが、その他の用法識別情報およびグループ識別情報を用いる実施形態も考えられる。
【００９８】
本開示においては、医薬品の服用時点を分類するために、用法識別情報およびグループ識別情報の２種類の識別情報を用いたが、識別情報の数は特に限定されず、１種類の識別情報を用いる実施形態や、３種類以上の識別情報を用いる実施形態も考えられる。
【００９９】
本開示においては、用法識別情報が一致する医薬品の組み合わせがない場合に、組み合わせ抽出部１２０は用法識別情報のイベントコードが一致する医薬品の組み合わせを抽出する。これに代えて、イベントコードおよび前後コードの双方が一致する医薬品の組み合わせを抽出する実施形態も考えられる。より一般化して、用法識別情報が部分的に一致する（例えば、前方部分一致する）医薬品の組み合わせを抽出する実施形態も考えられる。
【０１００】
本開示においては、フローチャートを用いて処方候補提示装置１００の処理を説明したが、フローチャートに記載されたステップは必ずしも記載された順序で実行される必要がなく、ステップの順序を入れ替えた実施形態も考えられる。
【産業上の利用可能性】
【０１０１】
本開示に係る処方候補提示装置１００は、患者に医薬品を処方する病院、あるいは処方箋に基づいて医薬品を処方する薬局に備えるのに好適である。
【符号の説明】
【０１０２】
１００  処方候補提示装置
１１０  記憶部
１２０  組み合わせ抽出部
１３０  変更入力受付部
１４０  変更処理部
１５０  入力受付部
１６０  表示部
【図１】
0006712478.tif 000004
【図２】
0006712478.tif 000005
【図３】
0006712478.tif 000006
【図４】
0006712478.tif 000007
【図５】
0006712478.tif 000008
【図６】
0006712478.tif 000009
【図７】
0006712478.tif 000010
【図８】
0006712478.tif 000011
【図９】
0006712478.tif 000012
【図１０】
0006712478.tif 000013
【図１１】
0006712478.tif 000014
【図１２】
0006712478.tif 000015